(57)【要約】【課題】携帯端末における放送番組の視聴が複数回中断された場合であっても、各放送番組の結末を効率よく視聴可能にすること。【解決手段】録画再生装置２０は、放送番組を受信する放送番組受信部２１と、当該受信した放送番組を格納する放送番組格納部２２と、携帯端末において視聴された放送番組のチャンネルを示すチャンネル情報と視聴が中断された時刻を示す中断時刻情報とを互いに関連付けた中断情報を受け付ける中断情報受信部２３と、放送番組と放送番組の放送時間と放送番組を受信可能なチャンネルとを互いに関連付けて示す番組情報を取得する番組情報格納部２４と、複数の中断情報と番組情報とに基づいて、放送番組ごとに携帯端末において視聴が最後に中断された時刻を示す最終中断情報を生成する最終中断情報生成部２５と、格納された放送番組を最終中断情報が示す時刻から再生する再生部２６とを備えている。【選択図】図１
2008078813.tif 000002
【特許請求の範囲】
【請求項１】
放送番組を受信する放送番組受信手段と、
前記放送番組受信手段によって受信された放送番組を格納する格納手段と、
携帯端末において視聴された前記放送番組のチャンネルを示すチャンネル情報と視聴が中断された時刻を示す中断時刻情報とを互いに関連付けた中断情報を受け付ける中断情報受付手段と、
前記放送番組と前記放送番組の放送時間と前記放送番組を受信可能なチャンネルとを互いに関連付けて示す番組情報を取得する番組情報取得手段と、
前記中断情報受信手段が受信した複数の前記中断情報と前記番組情報取得手段が取得した前記番組情報とに基づいて、前記放送番組ごとに前記携帯端末において視聴が最後に中断された時刻を示す最終中断情報を生成する最終中断情報生成手段と、
ユーザの操作による再生指示を受け付けると、前記格納手段に格納された前記放送番組を前記最終中断情報生成手段によって生成された前記最終中断情報が示す時刻から再生する再生手段と、
を備えたことを特徴とする録画再生装置。
【請求項２】
前記最終中断情報生成手段は、前記放送番組情報に基づいて前記チャンネル情報が互いに同じチャンネルを示し、且つ、前記中断時刻情報が互いに同じ放送番組の放送時間内であることを示す中断情報を複数の前記中断情報の中から抽出し、当該抽出した中断情報の中で前記中断時刻情報の示す時刻が最も遅い中断情報を前記最終中断情報とすることを特徴とする請求項１に記載の録画再生装置。
【請求項３】
放送番組を受信すると共に当該受信した放送番組を視聴可能な携帯端末において、
前記放送番組の視聴が中断されたときに、当該中断された放送番組のチャンネルを示すチャンネル情報と中断された時刻を示す中断時刻情報とを互いに関連付けた中断情報を生成する中断情報生成手段と、
当該生成された前記中断情報を請求項１又は２に記載の録画装置に受け渡す中断情報受渡手段と
を備えたことを特徴とする携帯端末。
【請求項４】
放送番組受信手段が、放送番組を受信する放送番組受信ステップと、
格納手段が、前記放送番組受信ステップにおいて受信した放送番組を格納する格納ステップと、
中断情報生成手段が、前記放送番組の視聴が中断されたときに、当該中断された放送番組のチャンネルを示すチャンネル情報と中断された時刻を示す中断時刻情報とを互いに関連付けた中断情報を生成する中断情報生成ステップと、
番組情報取得手段が、前記放送番組と前記放送番組の放送時間と前記放送番組を受信可能なチャンネルとを互いに関連付けて示す番組情報を取得する番組情報取得ステップと、
中断情報生成手段が、前記中断情報生成ステップにおいて生成した複数の前記中断情報と前記番組情報取得ステップにおいて取得した前記番組情報とに基づいて、前記放送番組ごとに前記携帯端末において視聴が最後に中断された時刻を示す最終中断情報を生成する最終中断情報生成ステップと、
ユーザの操作による再生指示を受け付けると、再生手段が、前記格納ステップにおいて格納された前記放送番組を前記最終中断情報生成ステップにおいて生成された前記最終中断情報が示す時刻から再生する再生ステップと、
を備えたことを特徴とする録画再生方法。
【発明の詳細な説明】
【技術分野】
【０００１】
本発明は、録画再生装置、携帯端末、及び録画再生方法に関する。
【背景技術】
【０００２】
一般的に、テレビ番組等の放送番組は、ＤＶＤ（Digital Versatile Disk）レコーダ、ＨＤＤ（Hard Disk Drive）レコーダ等の固定型端末により視聴、録画及び再生が可能であると共に、携帯端末等の移動型端末により外出先での視聴が可能である。
【０００３】
このような固定型端末及び移動型端末の機能を連携させる技術として、次のような技術が知られている（下記特許文献１参照）。すなわち、携帯端末において放送番組の視聴を中断する際に、中断時刻およびチャンネルの情報を記録する。その情報を同じ放送番組を記録したテレビ受信記録再生装置に転送する。転送された情報に基づいて、テレビ受信記録再生装置において放送番組の再生が、携帯端末における中断箇所から行われる。
【特許文献１】特開２００５−１８４１８０号公報
【発明の開示】
【発明が解決しようとする課題】
【０００４】
ところで、携帯端末による放送番組の視聴は、例えば、電車又は車などによる移動中になされることが多い。この場合、電車の乗り換え時又は目的地に到着すると視聴は中断される。また、携帯端末においては、電話及びメール等によって放送番組の視聴が中断されることが考えられる。さらに、放送番組の視聴中にＣＭなどのタイミングで、チャンネルを切り替えることにより最初に視聴していた放送番組の視聴が中断される。
【０００５】
このように、携帯端末においては、１つの放送番組の視聴中に複数回の中断がなされる場合が多い。この場合、上記特許文献１に記載の技術のように、最初に中断した箇所から再生しても既に視聴済みの箇所も含めて再生されることとなり、放送番組の結末を効率よく視聴することができない。
【０００６】
本発明は、上記問題点を解消する為になされたものであり、携帯端末における放送番組の視聴が複数回中断された場合であっても、各放送番組の結末を効率よく視聴可能にする録画再生装置及び携帯端末、及び録画再生方法を提供することを目的とする。
【課題を解決するための手段】
【０００７】
上記課題を解決するために、本発明の録画再生装置は、放送番組を受信する放送番組受信手段と、放送番組受信手段によって受信した放送番組を格納する格納手段と、携帯端末において視聴された放送番組のチャンネルを示すチャンネル情報と視聴が中断された時刻を示す中断時刻情報とを互いに関連付けた中断情報を受け付ける中断情報受付手段と、放送番組と放送番組の放送時間と放送番組を受信可能なチャンネルとを互いに関連付けて示す番組情報を取得する番組情報取得手段と、中断情報受信手段が受信した複数の中断情報と番組情報取得手段が取得した番組情報とに基づいて、放送番組ごとに携帯端末において視聴が最後に中断された時刻を示す最終中断情報を生成する最終中断情報生成手段と、ユーザの操作による再生指示を受け付けると、格納手段に格納された放送番組を最終中断情報生成手段によって生成された最終中断情報が示す時刻から再生する再生手段と、を備えたことを特徴とする。
【０００８】
この構成により、複数の中断情報及び番組情報に基づいて、放送番組ごとに携帯端末において視聴が最後に中断された時刻を示す最終中断情報を生成し、最終中断情報が示す時刻から格納された放送番組を再生することができる。よって、１つの放送番組について視聴が複数回中断された場合であっても、既に視聴された部分を含まず且つ放送番組の結末を含む部分を再生することができる。この結果、放送番組の結末を効率よく視聴可能にすることができる。
【０００９】
また、本発明の録画再生装置においては、最終中断情報生成手段は、放送番組情報に基づいてチャンネル情報が互いに同じチャンネルを示し、且つ、中断時刻情報が互いに同じ放送番組の放送時間内であることを示す中断情報を複数の中断情報の中から抽出し、当該抽出した中断情報の中で中断時刻情報の示す時刻が最も遅い中断情報を最終中断情報とすることが好適である。この場合、各放送番組について効率よく最終中断情報を生成することができる。
【００１０】
本発明の携帯端末は、放送番組を受信すると共に当該受信した放送番組を視聴可能な携帯端末であって、放送番組の視聴が中断されたときに、当該中断された放送番組のチャンネルを示すチャンネル情報と中断された時刻を示す中断時刻情報とを互いに関連付けた中断情報を生成する中断情報生成手段と、当該生成された中断情報を上記録画装置に受け渡す中断情報受渡手段とを備えたことを特徴とする。
【００１１】
この構成により、放送番組の視聴が中断されたときに逐次中断情報を生成することができ、生成した中断情報を録画再生装置に提供することができる。
【００１２】
本発明の録画再生方法は、放送番組受信手段が、放送番組を受信する放送番組受信ステップと、格納手段が、放送番組受信ステップにおいて受信した放送番組を格納する格納ステップと、中断情報生成手段が、放送番組の視聴が中断されたときに、当該中断された放送番組のチャンネルを示すチャンネル情報と中断された時刻を示す中断時刻情報とを互いに関連付けた中断情報を生成する中断情報生成ステップと、番組情報取得手段が、放送番組と放送番組の放送時間と放送番組を受信可能なチャンネルとを互いに関連付けて示す番組情報を取得する番組情報取得ステップと、中断情報生成手段が、中断情報生成ステップにおいて生成した複数の中断情報と番組情報取得ステップにおいて取得した番組情報とに基づいて、放送番組ごとに携帯端末において視聴が最後に中断された時刻を示す最終中断情報を生成する最終中断情報生成ステップと、ユーザの操作による再生指示を受け付けると、再生手段が、格納ステップにおいて格納された放送番組を最終中断情報生成ステップにおいて生成された最終中断情報が示す時刻から再生する再生ステップと、を備えたことを特徴とする。
【００１３】
この構成により、中断情報生成ステップにおいて、放送番組の視聴が中断されたときに逐次中断情報を生成することができる。そして、中断情報生成ステップにおいて生成した複数の中断情報と番組情報取得ステップにおいてが取得した番組情報とに基づいて、最終中断情報生成ステップにおいて放送番組ごとに携帯端末において視聴が最後に中断された時刻を示す最終中断情報を生成し、再生ステップにおいて、最終中断情報が示す時刻から格納された放送番組を再生する。よって、１つの放送番組について視聴が複数回中断された場合であっても、既に視聴された部分を含まず且つ放送番組の結末を含む部分を再生することができる。この結果、放送番組の結末を効率よく視聴可能にすることができる。
【発明の効果】
【００１４】
本発明によれば、放送番組の視聴が複数回中断された場合であっても、放送番組ごとに視聴が最後に中断された時刻からその放送番組を再生するので、放送番組の結末を効率よく視聴可能にすることができる。
【発明を実施するための最良の形態】
【００１５】
以下、添付図面を参照して、本発明を実施するための最良の形態を詳細に説明する。なお、図面の説明において同一の要素に同一の符号を付し、重複する説明を省略する。
【００１６】
本実施形態の録画再生システムの構成について図１を参照しながら説明する。図１は、本実施形態の録画再生システム１の構成を示す図である。録画再生システム１は、携帯端末１０及び録画再生装置２０を備えている。
【００１７】
携帯端末１０と録画再生装置２０とは、互いに情報の送受信を行うことができるように構成されている。本実施形態では、情報の送受信をインターネット又は広域の通信網Ｎを介して行う。
【００１８】
携帯端末１０及び録画再生装置２０は、放送番組の受信及び視聴が可能に構成されている。放送番組とは、予め決められた時間に予め決められたチャンネルを用いて送信されるテレビ番組等であり、放送波Ｂによって伝播される。
【００１９】
携帯端末１０は、通話、ＷＥＢページの閲覧と共にメールの送受信等が可能であって、ユーザが携行する移動局である。携帯端末１０は、ハードウエア資源として、ＣＰＵ、ＲＡＭ、ＲＯＭ、通信モジュール、補助記録装置、入力装置、及び出力装置といった物理的な要素から構成される。
【００２０】
携帯端末１０は、機能的な構成要素として、放送番組受信部（放送番組受信手段）１１、視聴部１２、中断情報生成部（中断情報生成手段）１３、及び中断情報送信部（中断情報受渡手段）を備えている。これらの機能的な構成要素は、ＣＰＵ、ＲＡＭ等のハードウエア上に所定のコンピュータソフトウエアを読み込ませることにより、ＣＰＵによる制御のもとで通信モジュール、入力装置及び出力装置を動作させ、ＲＡＭ又は補助記憶装置におけるデータの読み出し及び書き込みを行うことで実現される。引き続いて、携帯端末１０の機能的な各構成要素について説明する。
【００２１】
放送番組受信部１１は、放送波Ｂによって伝播される放送番組を受信する。視聴部１２は、放送番組受信部１１によって受信された放送番組の映像をディスプレイ（図示せず）に出力し、音声をスピーカ（図示せず）に出力する。
【００２２】
中断情報生成部１３は、放送番組の視聴が中断されたときに中断情報を生成する。中断情報生成部１３は、視聴部１２によって放送番組の映像及び音声が出力されている間は、ユーザによる放送番組の視聴がなされていると判断する。
【００２３】
例えば、次の第１〜第３に示す場合に、視聴部１２は、映像及び音声の出力を中断し、中断情報生成部１３は、放送番組の視聴が中断されたと判断する。まず第１の場合は、放送番組受信部１１による放送波Ｂの受信が中断された場合である。例えば、放送番組受信部１１によって受信される放送波Ｂの電界強度が所定値以下になった場合に、中断情報生成部１３は、放送番組の視聴が中断されたと判断する。
【００２４】
第２の場合は、チャンネルが切り替えられた場合である。例えば、入力装置（図示せず）が、ユーザによるチャンネルの切り替え指示を受け付けた場合に、中断情報生成部１３は、放送番組の視聴が中断されたと判断する。
【００２５】
第３の場合は、放送番組を視聴するためのアプリケーションが中断又は終了された場合である。例えば、通話、メールの送受信又は閲覧、ＷＥＢページの閲覧等により、放送番組の視聴用アプリケーションが中断された場合に、中断情報生成部１３は、放送番組の視聴が中断されたと判断する。また、例えば、入力装置がユーザによる放送番組の視聴用アプリケーションの終了指示を受け付けた場合、又は折り畳み式の携帯端末１０が折り畳まれた場合に、中断情報生成部１３は、放送番組の視聴が中断されたと判断する。
【００２６】
中断情報生成部１３は、放送番組の視聴が中断されたと判断すると、中断情報を生成する。中断情報とは、中断された放送番組のチャンネルを示すチャンネル情報と中断された時刻を示す中断時刻情報とを互いに関連付けた情報である。図３は、中断情報を示す図である。
【００２７】
図３に示すように、例えば、中断情報は次のような情報を含む。２００６年５月１０日１９：００：００に放送番組の視聴が開始され、１９：１０：００に１２チャンネルからチャンネルが変更されると、中断時刻情報「２００６／５／１０、１９：００：００」、チャンネル情報「１２チャンネル」、及び中断要因「チャンネル変更」を示す情報が生成されると共に、両者が互いに関連づけられる。
【００２８】
同様に、中断情報生成部１３は、１９：１５：００に１０チャンネルにチャンネルを変更した旨を示す中断情報、１９：３０：００に１２チャンネルにチャンネルを変更した旨を示す中断情報等の複数の中断情報を生成し、生成した中断情報を格納する。中断情報生成部１３は、生成した複数の中断情報を中断情報送信部１４へ出力する。中断情報生成部１３が中断情報を中断情報送信部１４へ出力するタイミングは、ユーザから指示が入力されたときであってもよいし、予め設定された時刻であってもよいし、中断情報が生成されたときでもよい。
【００２９】
中断情報送信部１４は、中断情報生成部１３から出力された中断情報を録画再生装置２０へ通信網Ｎを介してメール又はインターネット経由によって送信する。なお、送信される中断情報には、中断時刻情報及びチャンネル情報が含まれていれば、中断要因を示す情報が含まれなくてもよい。
【００３０】
引き続いて、録画再生装置２０について説明する。録画再生装置２０は、放送番組の受信、受信した放送番組の視聴、受信した放送番組の録画、及び録画した放送番組の再生が可能な装置である。録画再生装置２０は、例えば、ＨＤＤレコーダ、ＤＶＤレコーダ、ビデオレコーダ等であり、屋内に固定して配置されている。
【００３１】
録画再生装置２０は、図２に示すように、ハードウエア資源として、ＣＰＵ３１、ＲＡＭ３２、ＲＯＭ３３、通信モジュール３４、補助記録装置３５、入力装置３６、及び出力装置３７といった物理的な要素から構成される。
【００３２】
録画再生装置２０は、図１に示すように、機能的な構成要素として、放送番組受信部（放送番組受信手段）２１、放送番組格納部（格納手段）２２、中断情報受信部（中断情報受付手段）２３、番組情報格納部（番組情報取得手段）２４、最終中断情報生成部（最終中断情報生成手段）２５、及び再生部（再生手段）２６を備えている。
【００３３】
これらの機能的な構成要素は、ＣＰＵ３１、ＲＡＭ３２等のハードウエア上に所定のコンピュータソフトウエアを読み込ませることにより、ＣＰＵ３１による制御のもとで通信モジュール３４、入力装置３６及び出力装置３７を動作させ、ＲＡＭ３２又は補助記憶装置３５におけるデータの読み出し及び書き込みを行うことで実現される。引き続いて、録画再生装置２０の機能的な各構成要素について説明する。
【００３４】
放送番組受信部２１は、放送波Ｂによって伝播される放送番組を受信する。放送番組格納部２２は、放送番組受信部２１が受信した放送番組を格納する。例えば、時刻及びチャンネル、又は、番組のタイトルが予約されている場合、放送番組格納部２２は、該当する放送番組の放映時間になると、自動的に放送番組の録画を行う。
【００３５】
中断情報受信部２３は、携帯端末１０から送信された中断情報を受信する。中断情報受信部２３は、受信した中断情報を最終中断情報生成部２５へ出力する。
【００３６】
番組情報格納部２４は、放送番組と放送番組の放送時間と放送番組を受信可能なチャンネルとを互いに関連付けて示す番組情報を取得し、取得した番組情報を格納する。番組情報格納部２４は、番組情報を例えば、インターネット経由で取得する。図４は、番組情報テーブルの構成を示す図である。
【００３７】
図４に示すように、番組情報は、例えば、番組タイトル「番組Ａ」についての番組開始時刻「２００６／５／１０、１９：００：００」及びチャンネル「１０チャンネル」を示す。本実施形態では、番組情報格納部２４は、チャンネル毎の番組情報を番組情報テーブルとしてそれぞれ管理している。図４（ａ）は、１０チャンネルについての番組情報テーブルを示し、図４（ｂ）は、１２チャンネルについての番組情報テーブルを示す。
【００３８】
最終中断情報生成部２５は、中断情報受信部２３から出力された複数の中断情報と、番組情報格納部２４に格納された番組情報とに基づいて、最終中断情報を生成する。最終中断情報とは、放送番組ごとについて携帯端末１０において視聴が最後に中断された時刻を示す情報である。
【００３９】
図５及び図６を参照して、最終中断情報生成部２５が最終中断情報を生成する手順を説明する。図５及び図６は、最終中断情報の生成過程を示す図である。最終中断情報生成部２５は、まず、図５に示すように、複数の中断情報をチャンネル情報が示すチャンネルごとに並び替える。図５（ａ）は、チャンネル情報が１０チャンネルを示す中断情報テーブルを示し、図５（ｂ）は、チャンネル情報が１２チャンネルを示す中断情報テーブルを示す。中断情報は、中断時刻情報が示す時刻の順に並べられている。
【００４０】
続いて、最終中断情報生成部２５は、図６に示すように、チャンネルごとに並べ替えた中断情報テーブルに対応するチャンネルの番組情報を挿入する。図６（ａ）は、チャンネル情報が１０チャンネルを示す中断情報テーブルに１０チャンネルの番組情報が挿入された状態を示し、図６（ｂ）は、チャンネル情報が１２チャンネルを示す中断情報テーブルに１２チャンネルの番組情報が挿入された状態を示す。最終中断情報生成部２５は、番組情報の開始時刻と中断情報の中断時刻とが時刻の順に並ぶように番組情報を中断情報テーブルに挿入する。
【００４１】
例えば、「番組Ａ」の番組情報については、開始時刻が「２００６／５／１０、１９：００：００」なので、中断時刻情報が「２００６／５／１０、１９：１５：００」の中断情報の前に挿入される。「番組Ｂ」の番組情報については、開始時刻が「２００６／５／１０、１９：５４：００」なので、中断時刻情報が「２００６／５／１０、１９：３５：００」の中断情報と「２００６／５／１０、２０：３０：００」の中断情報との間に挿入される。
【００４２】
そして、最終中断情報生成部２５は、１つの番組の開始時刻から次の番組の開始時刻までの間における最後の中断情報を１つの番組の最終中断情報として抽出し、中断情報に最終中断情報を示す旨の情報を付加する。例えば、１０チャンネルについては（図６（ａ））、「２００６／５／１０、１９：３５：００」の中断情報を「番組Ａ」についての最終中断情報として抽出し、「２００６／５／１０、２０：４０：００」の中断情報を「番組Ｂ」の最終中断情報として抽出する。１２チャンネルについては（図６（ｂ））、「２００６／５／１０、２０：３７：００」の中断情報を「番組Ｅ」の最終中断情報として抽出する。
【００４３】
このようにして、最終中断情報生成部２５は、中断情報のチャンネル情報が互いに同じチャンネルを示し、且つ、中断時刻情報が互いに同じ放送番組の放送時間内であることを示す中断情報を複数の中断情報の中から放送番組情報に基づいて抽出し、当該抽出した中断情報の中で最も中断時刻情報が示す時刻の遅い中断情報を最終中断情報として格納する。
【００４４】
続いて、本実施形態では、最終中断情報生成部２５は、抽出した最終中断情報を付加した、図７に示す録画番組情報を生成する。録画番組情報は、各番組について、視聴状況、開始時刻、放映時間、チャンネル、及びタイトルを関連付けて示す情報である。例えば、番組タイトルが「番組Ａ」の番組については、視聴状況が「携帯端末において一部視聴済み」であり、開始時刻が「２００６／５／１０、１９：００：００」、放映時間が「５４分」、チャンネルが「１０チャンネル」である録画番組情報が、最終中断情報生成部２５によって生成される。
【００４５】
再生部２６は、入力装置３６によってユーザの操作による再生指示が受け付けられると、放送番組格納部２２によって格納された放送番組を最終中断情報生成部２５によって生成された最終中断情報が示す時刻から再生する。例えば、再生部２６は、タイトルが「番組Ａ」の番組については、図６に示す最終中断情報に基づいて、１９：３５：００から再生する。
【００４６】
引き続いて、本実施形態に係る録画再生システム１の動作について図８及び図９を参照して説明し、併せて、本実施形態にかかる録画再生方法について説明する。図８は、録画再生システムにおける中断情報を生成する手順を示す図である。図９は、録画再生システムにおける録画及び再生手順を示す図である。
【００４７】
まず、図８を参照して、携帯端末１０による中断情報の生成手順について説明する。放送番組の受信及び視聴が、放送番組受信部１１及び視聴部１２によって開始される（Ｓ４１）。その放送番組の視聴中に放送番組の視聴の中断がなされる（Ｓ４２）と、中断情報が中断情報生成部１３によって生成される（Ｓ４３；中断情報生成ステップ）。中断情報が生成されると、生成された中断情報が、中断情報送信部１４によって録画再生装置２０へ送信される（Ｓ４４）。中断情報は、複数まとめて送信するように設定してもよいし、中断情報が生成されるたびに送信するように設定してもよい。
【００４８】
続いて、図９を参照して、録画再生装置２０による録画及び再生手順について説明する。録画予約された複数の放送番組が、放送番組受信部２１によって受信されると共に放送番組格納部２２によって格納（録画）される（Ｓ５１）。
【００４９】
携帯端末１０から送信された中断情報が、中断情報受信部２３によって受信される（Ｓ５２）と、対応する番組情報が格納されていない場合（Ｓ５３でＮｏ）は、番組情報が、番組情報格納部２４によって取得（ダウンロード）され（Ｓ５４；番組情報取得ステップ）、番組情報テーブルが作成される（Ｓ５５）。
【００５０】
番組情報テーブルが格納済みの場合（Ｓ５３でＹｅｓ）又は、番組情報テーブルが作成されると、中断情報を並べた中断情報テーブルが、最終中断情報生成部２５によってチャンネル毎に並び替えられる（Ｓ５６）。中断情報テーブルの並び替えがなされると、番組情報テーブルが、最終中断情報生成部２５によって中断情報テーブルに挿入される（Ｓ５７）。番組情報テーブルが挿入された中断情報テーブルに基づいて、放送番組ごとの最終中断情報が、最終中断情報生成部２５によって生成される（Ｓ５８；最終中断情報生成ステップ）。
【００５１】
録画再生装置２０においてユーザの操作による再生指示が受け付けられると、放送番組が、最終中断情報が示す時刻から再生部２６によって再生される（Ｓ５９；再生ステップ）。
【００５２】
このようにすることにより、例えば、外出先などで携帯端末１０によって視聴していた放送番組の視聴が中断されたときに、逐次、中断情報を生成することができる。そして、自宅などに固定された録画再生装置２０によって、複数の中断情報と番組情報とに基づいて、放送番組ごとに携帯端末１０において視聴が最後に中断された時刻を示す最終中断情報を生成することができる。そして、その放送番組を再生するときには、最終中断情報が示す時刻から再生することができる。よって、１つの放送番組について視聴が複数回中断された場合であっても、既に視聴された部分を含まず且つ放送番組の結末を含む部分を再生することができる。この結果、放送番組の結末を効率よく視聴可能にすることができる。
【００５３】
また、本実施形態では、最終中断情報生成部２５が、中断情報のチャンネル情報が互いに同じチャンネルを示し、且つ、中断時刻情報が互いに同じ放送番組の放送時間内であることを示す中断情報を複数の中断情報の中から放送番組情報に基づいて抽出し、当該抽出した中断情報の中で最も中断時刻情報が示す時刻の遅い中断情報を最終中断情報とするので、効率よく最終中断情報を生成することができる。
【００５４】
本発明は、上記実施形態に限定されるものではなく、種々の変形が可能である。例えば、録画再生装置２０が備える番組情報格納部２４、及び最終中断情報生成部２５の機能を携帯端末１０が備えていてもよい。その場合、携帯端末１０において最終中断情報を生成し、生成した最終中断情報を録画再生装置２０に送信することにより、録画再生装置２０において、最終中断情報が示す時刻から放送番組を再生することができる。
【００５５】
また例えば、上記実施形態では、中断情報を携帯端末１０から録画再生装置２０へ通信網を介して送信したが、メモリーカード等を介して中断情報を携帯端末１０から録画再生装置２０へ受け渡してもよい。又は、近距離無線により、携帯端末１０から録画再生装置２０へ中断情報を送信してもよい。
【図面の簡単な説明】
【００５６】
【図１】録画再生システムの機能ブロック図である。
【図２】中断情報を示す図である。
【図３】録画再生システムのハードブロック図である。
【図４】番組情報テーブルの構成を示す図である。
【図５】最終中断情報の生成過程を示す図である。
【図６】最終中断情報の生成過程を示す図である。
【図７】録画番組情報を示す図である
【図８】録画再生システムにおける中断情報を生成する手順を示す図である。
【図９】録画再生システムにおける録画及び再生手順を示す図である。
【符号の説明】
【００５７】
１…録画再生システム、１０…携帯端末、１１…放送番組受信部、１２…視聴部、１３…中断情報生成部、１４…中断情報送信部、２０…録画再生装置、２１…放送番組受信部、２２…放送番組格納部、２３…中断情報受信部、２４…番組情報格納部、２５…最終中断情報生成部、２６…再生部。
【図１】
2008078813.tif 000003
【図２】
2008078813.tif 000004
【図３】
2008078813.tif 000005
【図４】
2008078813.tif 000006
【図５】
2008078813.tif 000007
【図６】
2008078813.tif 000008
【図７】
2008078813.tif 000009
【図８】
2008078813.tif 000010
【図９】
2008078813.tif 000011